(57)【要約】【課題】  工場出荷後に発光表示される情報を簡単に変更できるようにする。発光表示される情報の精細度を高める。【解決手段】  パネル基材と情報を表示する装飾層とＥＬを利用した発光体であるＥＬ発光素子とが積層された発光パネル１と、発光パネル１が取付けられる取付面２１が設けられた表示板２とを備えている。発光パネル１は、背面にＥＬ発光素子の電極が開放されている。表示板２は、取付面２１に電源に接続されて取付けられた発光パネルのＥＬ発光素子の開放された電極と接触する中継用電極２２，２３が設けられている。【選択図】図１
2008139606.tif 000002
【特許請求の範囲】
【請求項１】
パネル基材と情報を表示する装飾層とＥＬを利用した発光体であるＥＬ発光素子とが積層された発光パネルと、発光パネルが取付けられる取付面が設けられた表示板とを備え、発光パネルは背面にＥＬ発光素子の電極が開放され、表示板は取付面に電源に接続されて取付けられた発光パネルのＥＬ発光素子の開放された電極と接触する中継用電極が設けられていることを特徴とする表示装置。
【請求項２】
請求項１の表示装置において、発光パネルは装飾層で光透過が許容される情報の構成要素の形状に形成されていることを特徴とする表示装置。
【請求項３】
請求項１または２の表示装置において、発光パネルは光透過性を有して表面となるパネル基材に積層された装飾層に対して接着性および光透過性を有するバインダ層を介して背面となるＥＬ発光素子が積層されていることを特徴とする表示装置。
【請求項４】
請求項３の表示装置において、発光パネルのＥＬ発光素子はスルーホール構造で電極を露出させていることを特徴とする表示装置。
【請求項５】
請求項１または２の表示装置において、発光パネルは背面となるパネル基材に接着性を有する第１のバインダ層を介して積層されたＥＬ発光素子に対して接着性および光透過性を有する第２のバインダ層を介して装飾層が積層されていることを特徴とする表示装置。
【請求項６】
請求項５の表示装置において、発光パネルのＥＬ発光素子とパネル基材とはスルーホール構造でＥＬ発光素子の電極を露出させていることを特徴とする表示装置。
【発明の詳細な説明】
【技術分野】
【０００１】
本発明は、屋内外に設置されＥＬ（Electro
Luminescence）を利用した発光体をバックライトとして使用して文字，図形等からなる各種の情報を発光表示する表示装置に係る技術分野に属する。
【背景技術】
【０００２】
最近、表示装置のバックライトとして、ＥＬを利用した発光体が使用されるようになってきている。この発光体は、表示装置の軽量化，薄性化に対応できるようにシート状に形成されてＥＬシート，ＥＬランプ等と称せられているもので、蛍光灯，白熱灯に比して消費電力，発熱量が少ないにもかかわらず高輝度であるという利点を有している。
【０００３】
従来、ＥＬを利用した発光体をバックライトとして使用した表示装置としては、例えば、以下に記載のものが知られている。
【特許文献１】特開平９−５３２１３号公報  特許文献１には、ＥＬを利用した発光体がキャスティングにより光透過性を有する合成樹脂材からなる表示板の内部に埋込まれ、表示板の表面の発光体と対面する位置に情報が印刷等で表示された表示装置が記載されている。
【０００４】
特許文献１に係る表示装置は、表示板，発光体を一体化させることで、発光体の光を乱反射させることなく表示板を透過させて輝度の低下を防止するものである。
【発明の開示】
【発明が解決しようとする課題】
【０００５】
特許文献１に係る表示装置では、表示板に情報を表示し発光体に電気配線をして一体化された表示板，発光体をフレーム等に支持することで製品化され、そのまま設置される完成品として工場出荷されるため、工場出荷後に発光表示される情報を変更することができないという問題点がある。また、発光体と情報との間に表示板が介装され、発光体の光が表示板で屈折して情報の輪郭をぼやけさせるため、発光表示される情報の精細度が低くなるという問題点がある。
【０００６】
本発明は、このような問題点を考慮してなされたもので、工場出荷後に発光表示される情報を簡単に変更することができ、発光表示される情報の精細度を高めることのできる表示装置を提供することを課題とする。
【課題を解決するための手段】
【０００７】
前述の課題を解決するため、本発明に係る表示装置は、特許請求の範囲の各請求項に記載の手段を採用する。
【０００８】
即ち、請求項１では、パネル基材と情報を表示する装飾層とＥＬを利用した発光体であるＥＬ発光素子とが積層された発光パネルと、発光パネルが取付けられる取付面が設けられた表示板とを備え、発光パネルは背面にＥＬ発光素子の電極が開放され、表示板は取付面に電源に接続されて取付けられた発光パネルのＥＬ発光素子の開放された電極と接触する中継用電極が設けられていることを特徴とする。
【０００９】
この手段では、情報が表示された発光パネルと表示板とが別部材として形成され、表示板に発光パネルが取付けられて完成品とされるため、工場出荷後の設置場所で完成品とする際に発光パネルを選択することができる。また、装飾層，ＥＬ発光素子が直接的に積層され、情報の輪郭をぼやけさせるような光の無用の屈折が防止される。また、表示板に発光パネルを取付けるだけで中継用電極を介して発光パネルのＥＬ発光素子と電源との電気的接続が構成される。
【００１０】
また、請求項２では、請求項１の表示装置において、発光パネルは装飾層で光透過が許容される情報の構成要素の形状に形成されていることを特徴とする。
【００１１】
この手段では、発光表示される情報の構成要素のみにＥＬ発光素子が積層される。
【００１２】
また、請求項３では、請求項１または２の表示装置において、発光パネルは光透過性を有して表面となるパネル基材に積層された装飾層に対して接着性および光透過性を有するバインダ層を介して背面となるＥＬ発光素子が積層されていることを特徴とする。
【００１３】
この手段では、発光パネルの装飾層，ＥＬ発光素子がバインダを介して積層される。
【００１４】
また、請求項４では、請求項３の表示装置において、発光パネルのＥＬ発光素子はスルーホール構造で電極を露出させていることを特徴とする。
【００１５】
この手段では、発光パネルのＥＬ発光素子の各積層を貫通させる簡単なスルーホール構造でＥＬ発光素子の電極が開放される。
【００１６】
また、請求項５では、請求項１または２の表示装置において、発光パネルは背面となるパネル基材に接着性を有する第１のバインダ層を介して積層されたＥＬ発光素子に対して接着性および光透過性を有する第２のバインダ層を介して装飾層が積層されていることを特徴とする。
【００１７】
この手段では、発光パネルのパネル基材，ＥＬ発光素子が第１のバインダを介して積層され、発光パネルの装飾層，ＥＬ発光素子が第２のバインダを介して積層される。
【００１８】
また、請求項６では、請求項５の表示装置において、発光パネルのＥＬ発光素子とパネル基材とはスルーホール構造でＥＬ発光素子の電極を露出させていることを特徴とする。
【００１９】
この手段では、発光パネルのＥＬ発光素子の各積層とパネル基材とを貫通させる簡単なスルーホール構造でＥＬ発光素子の電極が開放される。
【発明の効果】
【００２０】
本発明に係る表示装置は、情報が表示された発光パネルと表示板とが別部材として形成され、表示板に発光パネルが取付けられて完成品とされるため、工場出荷後の設置場所で完成品とする際に発光パネルを選択することができるため、工場出荷後に発光表示される情報を簡単に変更することができる効果がある。また、装飾層，ＥＬ発光素子が直接的に積層され、情報の輪郭をぼやけさせるような光の無用の屈折が防止されるため、発光表示される情報の精細度を高めることができる効果がある。また、表示板に発光パネルを取付けるだけで中継用電極を介して発光パネルのＥＬ発光素子と電源との電気的接続が構成されるため、完成品への組立作業が容易である効果がある。
【００２１】
また、請求項２として、発光表示される情報の構成要素のみにＥＬ発光素子が積層されるため、電気的な駆動力が低減される効果がある。
【００２２】
また、請求項３として、発光パネルの装飾層，ＥＬ発光素子がバインダを介して積層されるため、発光パネルの積層構造の一体性が強化される効果がある。
【００２３】
また、請求項４として、発光パネルのＥＬ発光素子の各積層を貫通させる簡単なスルーホール構造でＥＬ発光素子の電極が開放されるため、発光パネルを安価，容易に製造することができる効果がある。
【００２４】
また、請求項５として、発光パネルのパネル基材，ＥＬ発光素子が第１のバインダを介して積層され、発光パネルの装飾層，ＥＬ発光素子が第２のバインダを介して積層されるため、発光パネルの積層構造の一体性が強化される効果がある。
【００２５】
また、請求項６として、発光パネルのＥＬ発光素子の各積層とパネル基材とを貫通させる簡単なスルーホール構造でＥＬ発光素子の電極が開放されるため、発光パネルを安価，容易に製造することができる効果がある。
【発明を実施するための最良の形態】
【００２６】
以下、本発明に係る表示装置を実施するための最良の形態を図面に基づいて説明する。
【００２７】
図１〜図３は、本発明に係る表示装置を実施するための最良の形態の第１例を示すものである。
【００２８】
第１例では、屋外の道路際等に設置される道路標識に適用されるものを示してある。
【００２９】
第１例は、図１，図２に示すように、発光パネル１，表示板２からなる。
【００３０】
発光パネル１は、ＥＬ発光素子１１，バインダ層１２，装飾層１３，パネル基材１４，縁保護層１５，接着貼層１６の積層構造で発光表示される情報の構成要素のみの形状である道路標識の「指定方向外進行禁止」を示す矢印のシート状，薄板状に形成されている。
【００３１】
発光パネル１のＥＬ発光素子１１は、ＥＬを利用した発光体からなるもので、印刷手段等によって背面保護層１１ａ，背面電極１１ｂ，誘電体層１１ｃ，発光体層１１ｄ，透明電極１１ｅが積層（厚くとも、０．３ｍｍ程度）され、発光パネル１の背面を構成している。即ち、従来より提供されている前述のＥＬシート，ＥＬランプ等において透明電極１１ｅにさらに積層される表面保護層については、省略されている。背面保護層１１ａは、例えば、メジウムからなる。背面電極１１ｂは、例えば、カーボン，樹脂バインダのインクからなる。誘電体層１１ｃは、例えば、チタン酸バリウム，フッ素樹脂バインダのインクからなる。発光体層１１ｄは、例えば、硫化亜鉛，銅，フッ素樹脂バインダのインクからなる。透明電極１１ｅは、例えば、酸化インジウム−スズ（ＩＴＯ）からなる。背面保護層１１ａには、背面保護層１１ａの外側面（発光パネル１の背面）に背面電極１１ｂ，透明電極１１ｅを露出させるための２つのスルーホール１１ｆ，１１ｇが穿孔されている。背面電極１１ｂ，誘電体層１１ｃ，発光体層１１ｄには、背面保護層１１ａの外側面に透明電極１２ｅを開放させるための１つのスルーホール１１ｇが穿孔されている。このＥＬ発光素子１１は、背面電極１１ｂ，透明電極１１ｅに電圧を印加することによって、発光体層１１ｄを発光させて透明電極１１ｅ側を発光面とすることができるものである。
【００３２】
発光パネル１のバインダ層１２は、ＥＬ発光素子１１の透明電極１１ｅと装飾層１３（後述のインク層１３ｃ）との双方に接着力を発揮する接着性と、ＥＬ発光素子１１の発光体層１１ｄで発光した光を遮断することのない光透過性とを有している。この接着性は、主に、ＥＬ発光素子１１の透明電極１１ｅと装飾層１３（後述のインク層１３ｃ）との双方にレベリング性（平坦性）による密着で接着力を発揮するものである。このバインダ層１２は、ＥＬ発光素子１１の表面保護層が省略されていることの機能補充のために、必要に応じて絶縁性，ウオータバリア性が備えられる。ウオータバリア性は、ＥＬ発光素子１１の発光体層１１ｄの硫化亜鉛の劣化の防止に必要とされる。
【００３３】
発光パネル１の装飾層１３は、情報が表示されるもので、パネル基材１４をベースとした印刷手段，箔押手段等によって、単層のアルミニウム等の金属箔層１３ａの両側にインク層１３ｂ，１３ｃが積層されている。この装飾層１３は、金属箔層３ａで光透過，光非透過の組合わせ等の装飾（矢印の外径輪郭を精密に区画する）が施され、２層のインク層１３ｂ，１３ｃで多色化等の装飾が施されるため、高度の装飾性（意匠性）をもった情報を表示することができる。
【００３４】
発光パネル１のパネル基材１４は、形状を保形して無用の変形を防止するシート，板からなるもので、光透過性を有する合成樹脂材であるアクリル，ポリカーボネード等が選択され、発光パネル１の表面を構成している。
【００３５】
発光パネル１の縁保護層１５は、ＥＬ発光素子１１の背面保護層１１ａと同様の材質からなるもので、ＥＬ発光素子１１，バインダ層１２，装飾層１３，パネル基材１４の縁回りを被覆している。
【００３６】
発光パネル１の接着貼層１６は、表示板２への粘着，接着が可能な材質からなるもので、ＥＬ発光素子１１の背面保護層１１ａの外側面に積層されている。この接着貼層１６
には、必要に応じて剥離シート（図示せず）が積層される。この接着貼層１６についても、ＥＬ発光素子のスルーホール１１ｆ，１１ｇに対応したスルーホール１６ａ，１６ｂが穿孔されている。
【００３７】
発光パネル１を製造するには、パネル基材１４に積層された装飾層１３の上に印刷手段等でバインダ層１２を積層し、別途製造したＥＬ発光素子１１を透明電極１１ｅがバインダ層２に接合されるように積層し、最後に積層されたＥＬ発光素子１１，バインダ層１２，装飾層１３，パネル基材１４の縁回りに縁保護層１５を被覆することになる。ＥＬ発光素子１１のスルーホール１１ｆ，１１ｇについては、各積層等を貫通する簡単な構造であるため、安価，容易な製造が可能である。
【００３８】
このように製造された発光パネル１では、ＥＬ発光素子１１の透明電極１１ｅと装飾層１３との間に単層のバインダ層１２が介在されているのみであるため、光の乱反射が起こらなくなって輝度が高くなる。また、ＥＬ発光素子１１，装飾層１３がバインダ層１２を介して積層されているため、積層構造の一体性が強化されている。そして、ＥＬ発光素子１１，装飾層１３がバインダ層１２を介しているもののほぼ直接的に積層され、情報の輪郭をぼやけさせるような光の無用の屈折が防止されるため、発光表示される情報の精細度が高められる。
【００３９】
表示板２は、合成樹脂材，金属材等で円形の板状に形成され、表面に発光パネル１が嵌合されて取付けられる矢印形の浅溝形の取付面２１が設けられ、取付面２１に発光パネル１のＥＬ発光素子１１のスルーホール１１ｆ，１１ｇに対応した中継用電極２２，２３が取付けられている。中継用電極２２，２３は、表示板２の内部と表示板２を支持するポール３の内部とに配線されインバータを介して電源（交流電源，ソーラ電源等）に接続された電線２４に接続されている。
【００４０】
第１例によると、情報が表示された発光パネル１と表示板２とが別部材として形成され、表示板２の取付面２１に剥離シートを剥離して接着貼層１６を露出させた発光パネル１が取付けられて完成品とされる。このため、工場出荷後の設置場所で完成品とする際に必要な情報が表示された発光パネル１を選択することができる、工場出荷後に発光表示される情報を簡単に変更することができる。
【００４１】
また、表示板２の取付面２１に発光パネル１が取付けられると、自然に表示板２１の中継用電極２２，２３に発光パネル１のＥＬ発光素子１１のスルーホール１１ｆ，１１ｇを介して背面電極１１ｂ，透明電極１１ｅが接触することになる。このため、表示板１に発光パネル２を取付けるだけで、中継用電極２２，２３を介して発光パネル１のＥＬ発光素子１１と電源との電気的接続が構成される。また、発光パネル１がパネル基材１４によって全体の形状が保形されるため、形状に無用に撓み等の変形が生じて表示板２１に取付ける作業員の手や工具から不測に垂曲がったりすることがない。従って、発光パネル１，表示板２の完成品への組立作業が容易である。
【００４２】
表示板２に取付けられた発光パネル１は、発光パネル１（主に、パネル基材１４）の表示板２の取付面２１への嵌合と発光パネル１の接着貼層１６の表示板２の取付面２１への粘着力，接着力によって強固に保持される。そして、発光パネル１の発光表示される情報の構成要素のみにＥＬ発光素子１１が積層されるため、電気的な駆動力が低減され使用コストが安価になる。
【００４３】
図４は、本発明に係る表示装置を実施するための最良の形態の第２例を示すものである。
【００４４】
第２例では、表示板２の取付面２１を第１例のような浅溝形ではなく平坦面としてある。
【００４５】
第２例によると、表示板２に取付面２１を加工する手間が省略される。なお、発光パネル１は、接着貼層１６の表示板２の取付面２１への粘着力，接着力によって保持されることになる。他の作用，効果については、第１例とほぼ同様に奏される。
【００４６】
図５は、本発明に係る表示装置を実施するための最良の形態の第３例を示すものである。
【００４７】
第３例では、第１例における発光パネル１のパネル基材１４のみを円板形とし、表示板２に取付面２１を円形，矢印形の２段の浅溝形としてある。
【００４８】
第３例によると、発光パネル１による表示板２の中継用電極２２，２３のカバー面積を拡張して、中継用電極２２，２３へ雨水等の浸入を防止することができ、防水性能を高めることができる。他の作用，効果については、第１例とほぼ同様に奏される。
【００４９】
図６は、本発明に係る表示装置を実施するための最良の形態の第４例を示すものである。
【００５０】
第４例では、発光パネル１の装飾層１３の金属箔層３ａによる光透過，光非透過の組合わせ等の装飾によって、発光パネル１１が発光表示される情報の複数の構成要素（「止」，「ま」，「れ」の３文字）を並べた長方形に形成されている。なお、表示板２は、逆３角形に形成され、取付面２１が長方形の浅溝形にに形成されている。
【００５１】
第５例によると、発光パネル１の装飾層１３の金属箔層３ａによる光非透過の部分について、ＥＬ発光素子１１に無駄な電気的な駆動力を付与しなければならないが、情報の複数の構成要素ごとに発光パネル１１を形成して表示板２にそれぞれ中継用電極２２，２３を対応配置する手間を回避することができる。他の作用，効果については、第１例とほぼ同様に奏される。
【００５２】
図７は、本発明に係る表示装置を実施するための最良の形態の第５例を示すものである。
【００５３】
第５例では、発光パネル１のＥＬ発光素子１１から背面保護層１ａを除去し、発光パネル１のバインダ層１２を第１のバインダ層１２ａと第２のバインダ層１２ｂとに分離し、発光パネル１におけるＥＬ発光素子１，バインダ層２，装飾層３，パネル基材４の積層構造を改良している。
【００５４】
即ち、発光パネル１の第２のバインダ層１２ｂは、第１例のバインダ層１２と共通でＥＬ発光素子１１の透明電極１ｅと装飾層１３とを接合している。ただし、装飾層１３は、パネル基材１４に積層されておらず、外側面が第１例の縁保護層１５を兼ねるオーバコート層１７で被覆されている。
【００５５】
また、発光パネル１の第１のバインダ層１２ａは、ＥＬ発光素子１の背面電極１ｂとパネル基材４との双方に接着力を発揮する接着性を有しているが、ＥＬ発光素子１の発光体層１ｄで発光した光を遮断することのない光透過性を有している必要がないものである。第１のバインダ層１２ａについても、ＥＬ発光素子１の背面保護層１ａが省略されていることの機能補充のために、必要に応じて絶縁性，ウオータバリア性が備えられる。
【００５６】
また、パネル基材１４には、外側面にＥＬ発光素子１の背面電極１ｂ，透明電極１ｅを開放させるための２つのスルーホール１４ａ，１４ｂが穿孔されている。なお、パネル基材１４については、ＥＬ発光素子１の発光体層１ｄで発光した光を遮断することのない光透過性を有している必要がないものである。
【００５７】
第５例によると、発光パネル１のＥＬ発光素子１の発光がパネル基材１４を透過しないため、第１例よりも光の乱反射が確実に減少されてより輝度が高くなり、光の無駄な屈折が消失されて発光表示される情報の精細度が極めて高くなる。他の作用，効果については、第１例とほぼ同様に奏される。
【００５８】
図８は、本発明に係る表示装置を実施するための最良の形態の第６例を示すものである。
【００５９】
第６例では、第５例を第２例と同様の取付構造に変更している。
【００６０】
第６例によると、第２例とほぼ同様の作用，効果が奏される。
【００６１】
図９は、本発明に係る表示装置を実施するための最良の形態の第７例を示すものである。
【００６２】
第７例では、表示板２の表裏両面にそれぞれ複数枚の発光パネル１が取付けられるようにした案内板に適用されるものを示してある。
【００６３】
第７例によると、発光表示される情報の選択範囲を拡張することができる。なお、発光パネル１の表示板２への取付構造を変更する（例えば、発光パネル１の接着貼層１６の材質を接着，剥離を反復可能な再接着性とする）ことで、発光パネル１を交換，配置代えすることも可能である。
【００６４】
以上、図示した各例の外に、発光パネル１，表示板２がわずかに湾曲したり凹凸構造を有したものでも実施することが可能である。
【図面の簡単な説明】
【００６５】
【図１】本発明に係る表示装置を実施するための最良の形態の第１例の組立前の斜視図である。
【図２】図１の組立後の状態図である。
【図３】図２の要部の拡大縦断面図である。
【図４】本発明に係る表示装置を実施するための最良の形態の第２例の断面図である。
【図５】本発明に係る表示装置を実施するための最良の形態の第３例の組立前の斜視図である。
【図６】本発明に係る表示装置を実施するための最良の形態の第４例の組立前の斜視図である。
【図７】本発明に係る表示装置を実施するための最良の形態の第５例の断面図である。
【図８】本発明に係る表示装置を実施するための最良の形態の第６例の断面図である。
【図９】本発明に係る表示装置を実施するための最良の形態の第７例の組立前の斜視図である。
【符号の説明】
【００６６】
１            発光パネル
１１          ＥＬ発光素子
１ｆ，１ｇ    スルーホール
１２２        バインダ層
１２ａ        第１のバインダ層
１２ｂ        第２のバインダ層
１３          装飾層
１４          パネル基材
２            表示板
２１          取付面
【図１】
2008139606.tif 000003
【図２】
2008139606.tif 000004
【図３】
2008139606.tif 000005
【図４】
2008139606.tif 000006
【図５】
2008139606.tif 000007
【図６】
2008139606.tif 000008
【図７】
2008139606.tif 000009
【図８】
2008139606.tif 000010
【図９】
2008139606.tif 000011